(57)【要約】【課題】インターレース映像信号を、プログレッシブ映像信号に変換する際に、元のインターレース映像信号がどのようなシーケンスによる映像信号であるかの検出を精度良く行って、高精度の変換が行えるようにする。【解決手段】インターレース映像信号の各フィールドの各水平ラインの画素信号と、その画素信号の近隣の画素信号とを使用した補間で、直前のフィールドの各水平ライン上に存在する画素信号と同じ空間的な位置の補間画素信号を生成部１６で得て、その補間画素信号と、直前のフィールドの同じ空間的な位置の画素信号との差分を検出部１３で検出し、その検出した差分が閾値以下となることが、所定の周期毎に繰り返されることを検出した場合に、２・２シーケンスによるインターレース映像信号と判断して、対応したプログレッシブ映像信号への変換処理を行うようにした。【選択図】　　　図２
2004096223.tif 000002
【特許請求の範囲】
【請求項１】
インターレース映像信号を、プログレッシブ映像信号に変換する映像信号変換方法において、
前記インターレース映像信号の各フィールドの各水平ラインの画素信号と、その画素信号の近隣の画素信号とを使用した補間で、直前のフィールドの各水平ライン上に存在する画素信号と同じ空間的な位置の補間画素信号を得て、
その補間画素信号と、直前のフィールドの同じ空間的な位置の画素信号との差分を検出し、
その検出した差分と閾値との比較で、差分が閾値以下となることが、所定の周期毎に繰り返されることを検出した場合に、
２フィールドで構成される１フレームのインターレース映像信号を利用して、２フィールドのプログレッシブ映像信号を作成する
映像信号変換方法。
【請求項２】
請求項１記載の映像信号変換方法において、
差分が閾値以下となることが、前記所定の周期とは異なる周期での繰り返しであることを検出した場合に、奇数フィールドのプログレッシブ映像信号と偶数フィールドのプログレッシブ映像信号とを、隣接した異なるフレームのインターレース映像信号から作成することを、周期的に行うようにした
映像信号変換方法。
【請求項３】
請求項１記載の映像信号変換方法において、
それぞれの空間的な位置の補間画素信号は、隣接した２つの水平ラインの画素信号から生成可能な複数の候補の中から選択された補間画素信号とした
映像信号変換方法。
【請求項４】
インターレース映像信号を、プログレッシブ映像信号に変換する映像信号変換装置において、
前記インターレース映像信号の各フィールドの各水平ラインの画素信号と、その画素信号の近隣の画素信号とを使用した補間で、直前のフィールドの各水平ライン上に存在する画素信号と同じ空間的な位置の補間画素信号を得る補間信号生成手段と、
前記補間信号生成手段で生成された補間画素信号と、直前のフィールドの同じ空間的な位置の画素信号との差分を検出し、その検出した差分と閾値との比較で、差分が閾値以下となることが、所定の周期毎に繰り返されるかを判断する特定シーケンス検出手段と、
前記特定シーケンス検出手段で、差分が閾値以下となることが所定の周期毎に繰り返されることを検出した場合に、１フレームのインターレース映像信号を利用して、連続した２フィールドのプログレッシブ映像信号を作成する変換手段とを備えた
映像信号変換装置。
【請求項５】
請求項４記載の映像信号変換装置において、
前記変換手段は、前記特定シーケンス検出手段で、差分が閾値以下となることが、前記所定の周期とは異なる周期での繰り返しであることを検出した場合に、奇数フィールドのプログレッシブ映像信号と偶数フィールドのプログレッシブ映像信号とを、隣接した異なるフレームのインターレース映像信号から作成することを、周期的に行う
映像信号変換装置。
【請求項６】
請求項４記載の映像信号変換装置において、
補間信号生成手段で生成されるそれぞれの空間的な位置の補間画素信号は、隣接した２つの水平ラインの画素信号から生成可能な複数の候補の中から選択された補間画素信号とした
映像信号変換装置。
【発明の詳細な説明】
【０００１】
【発明の属する技術分野】
本発明は、インターレース映像信号をプログレッシブ映像信号に変換する映像信号変換方法及び装置に関し、特に、映画フィルムやコンピュータグラフィックで作成された映像による映像信号を変換するのに好適な変換方法及び装置に関する。
【０００２】
【従来の技術】
インターレース映像信号は、１フレームの映像信号が２フィールドの映像信号で構成されており、その１フレームを構成する２フィールドの映像信号の内の、奇数フィールドの映像信号と、偶数フィールドの映像信号とで、水平ラインの位置が互い違いに異なる位置に設定してある。従って、２フィールドの映像信号で１フレームの映像信号の全ての水平ラインの信号が揃う構成としてある。従来のテレビジョン放送用の映像信号は、基本的に全てこのインターレース映像信号であり、テレビジョン受像機はインターレース映像信号を処理して表示させるようにしてあった。
【０００３】
このようなインターレース映像信号に対して、近年、より高画質の映像を表示させることができるプログレッシブ映像信号を生成させて、そのプログレッシブ映像信号を処理して表示させることができる受像機が開発されている。プログレッシブ映像信号は、１フィールドの映像信号の水平ライン数を、インターレース映像信号の２倍として、インターレースすることなく表示させる映像信号であり、各フィールド期間に表示される映像信号は、垂直方向で２倍の密度になり、表示される映像の高画質化に貢献する。
【０００４】
【発明が解決しようとする課題】
ところで、インターレース映像信号からプログレッシブ映像信号を生成させる変換処理を行う場合、各フィールドの映像信号の水平ライン数を２倍にする必要があるが、その水平ライン数の２倍化を行うときには、元の映像信号が、どのような映像信号であるかを検出して、その検出に基づいて、水平ライン数を増やす変換処理を行う必要がある。
【０００５】
例えば、映像信号のフレーム周波数が３０Ｈｚであるとすると、コンピュータグラフィックで作成されたアニメーションなどの映像の場合には、元の映像として、１秒当たり３０枚の映像を作成して、作成された１枚ずつの映像を１フレームに割り当てて、インターレース映像信号を生成させるようにしてあった。なお、このようなインターレース映像信号を生成させる処理は、２・２シーケンスとも称される。
【０００６】
従って、このような映像信号の場合には、１フレームを構成する２フィールドの映像信号が、必ず同一の映像から生成された信号になる。このような映像信号をプログレッシブ映像信号に変換する場合には、各フィールドで増やす水平ラインの信号は、１フレーム内の信号から生成させれば良い。
【０００７】
これに対して、映画フィルムに記録された映像の場合には、フィルム上のコマ数が毎秒２４コマなどであり、映像信号のフレーム周波数である３０Ｈｚなどと一致してないために、フィルム上の１コマの映像から、２フレームの映像信号を生成させる期間と、３フレームの映像信号を生成させる期間とを組み合わせて、毎秒２４コマの映像を、３０フレームの周期に合わせるようにしてあった。このため、このような映像の場合には、奇数フィールドの映像と、偶数フィールドの映像とが、同一の映像から生成されたものにはならないことがある。なお、このようなインターレース映像信号を生成させる処理は、２・３シーケンスとも称される。
【０００８】
このような映像信号をプログレッシブ映像信号に変換する場合には、各フィールドで増やす水平ラインの信号を、１フレーム内の信号だけから生成させると、場合によっては異なる２つのコマの映像を使用して、１フィールドの映像信号を生成させてしまうことになり、プログレッシブ映像信号に変換された信号の精度が悪くなってしまう。
【０００９】
このような点から、インターレース映像信号をプログレッシブ映像信号に変換する場合には、元のインターレース映像信号が、どのようなシーケンスによる映像信号であるかを検出して、その検出に基づいて変換処理状態を変化させる必要がある。なお、２・２シーケンスと２・３シーケンスの詳細については、後述する実施の形態の中でより詳細に説明する。
【００１０】
従来の、インターレース映像信号がどのようなシーケンスの映像信号であるかを検出する処理としては、例えば、各フィールドの映像信号と、直前のフィールドの映像信号とを、各画素毎に比較して、そのレベルの差が、１フィールド周期で所定のしきい値よりも低い場合と、しきい値よりも高い場合とが繰り返す状態であるとき、上述した２・２シーケンスであると検出するようにしてあり、その他の周期でしきい値よりも低い場合と高い場合とが繰り返す状態であるとき、その他のシーケンスであると検出するようにしていた。
【００１１】
これは、２・２シーケンスである場合に、１フレーム内の奇数フィールドと偶数フィールドが、基本的に同じ映像で構成される点を利用した検出処理である。ところが、奇数フィールドと偶数フィールドとが同じ映像から構成されていても、インターレースされた映像信号であるために、その２つのフィールドの隣接した各画素の位置は相互に１／２ラインずれた位置であり、２つのフィールドの隣接した画素同士のレベルを比較しても、全く同じレベルになるとは限らない。
【００１２】
従って、従来の２・２シーケンス検出処理は、検出精度が完全であるとは言えず、誤検出する可能性があり、もし誤検出した場合には、インターレース映像信号をプログレッシブ映像信号に変換する場合の、変換処理が誤った処理方式で変換されて、変換後の映像信号の解像度を低下させてしまう等の問題があった。
【００１３】
本発明はかかる点に鑑みてなされたものであり、インターレース映像信号を、プログレッシブ映像信号に変換する際に、元のインターレース映像信号がどのようなシーケンスによる映像信号であるかの検出を精度良く行って、高精度の変換が行えるようにすることを目的とする。
【００１４】
【課題を解決するための手段】
本発明は、インターレース映像信号を、プログレッシブ映像信号に変換する場合に、インターレース映像信号の各フィールドの各水平ラインの画素信号と、その画素信号の近隣の画素信号とを使用した補間で、直前のフィールドの各水平ライン上に存在する画素信号と同じ空間的な位置の補間画素信号を得て、その補間画素信号と、直前のフィールドの同じ空間的な位置の画素信号との差分を検出し、その検出した差分と閾値との比較で、差分が閾値以下となることが、所定の周期毎に繰り返されることを検出した場合に、２・２シーケンスによるインターレース映像信号と判断して、対応したプログレッシブ映像信号への変換処理を行うようにしたものである。
【００１５】
このようにしたことで、２つのフィールドの映像信号を比較する際の、比較される各画素位置が、空間的に同じ位置になり、同じ位置どうしで正確な画素の差分が検出できるようになる。
【００１６】
【発明の実施の形態】
以下、添付図面を参照して、本発明の一実施の形態について説明する。
【００１７】
図１は、本例のシステム構成例を示す図である。本例においては、インターレース映像信号を、プログレッシブ映像信号に変換して、その変換されたプログレッシブ映像信号を、内蔵又は接続された映像表示部に表示させる処理を行う装置に適用したものである。図１に示すように、インターレース映像信号入力端子１には、放送信号の受信、或いはビデオテープ，ビデオディスクなどの再生により、インターレースされた映像信号が得られる。映像信号の１フレームのライン数から見た信号方式としては、５２５ｉ，６２５ｉ，１１２５ｉ（ｉはインターレースであることを示す）などの各ライン数のものがあるが、いずれでも良い。
【００１８】
この入力端子１に得られるインターレース映像信号をフロント映像処理部２に供給し、そのフロント映像処理部２で処理されたインターレース映像信号を、インターレース・プログレッシブ変換部（以下ＩＰ変換部と称する）３に供給して、各フィールド期間の水平ライン数が２倍のプログレッシブ映像信号に変換する。ＩＰ変換部３の詳細構成については後述する。
【００１９】
ＩＰ変換部３で変換されたプログレッシブ映像信号は、映像表示装置駆動部４に供給して、表示装置を駆動するための映像信号とし、その駆動部４が映像表示部５の表示駆動を行い、映像表示部５でプログレッシブ映像信号による映像を表示させる。即ち、各フィールド期間毎に全ての水平ラインを表示させるノンインターレスの表示を行う。映像表示部５としては、陰極線管による表示部や、液晶表示パネルによる表示部など、どのような表示手段を使用した表示部であっても良く、また表示部が装置に内蔵されたタイプと、表示部が変換装置とは別体のタイプのいずれであっても良い。
【００２０】
図２は、インターレース映像信号をプログレッシブ映像信号に変換するＩＰ変換部３の構成例を示した図である。フロント映像処理部２から供給されるインターレース映像信号は、２・２変換処理部１１と、ＩＰ変換処理部１２と、２・２シーケンス検出部１３とに供給する。２・２変換処理部１１は、２・２シーケンスに基づいてインターレース映像信号をプログレッシブ映像信号に変換する処理を行う回路である。ＩＰ変換処理部１２についても、インターレース映像信号をプログレッシブ映像信号に変換する処理を行う回路であるが、このＩＰ変換処理部１２は、２・２シーケンス以外のシーケンスに適した変換処理を行う回路である。２・２シーケンス検出部１３は、供給される映像信号が、２・２シーケンスによるインターレース映像信号であることを検出する回路である。
【００２１】
また、フロント映像処理部２から供給されるインターレース映像信号は、書込み処理部１４にも供給するようにしてあり、この書込み処理部１４の処理で、ＩＰ変換部３に接続されたフィールドメモリ１８に、逐次入力映像信号を書込ませるようにしてある。図２ではフィールドメモリ１８は、ＩＰ変換処理部１２とは別体の外部の回路として示してあるが、ＩＰ変換処理部１２などが構成される集積回路に内蔵されたメモリとしても良い。
【００２２】
フィールドメモリ１８に書込まれた映像信号は、読出し処理部１５により読出して、２・２変換処理部１１とＩＰ変換処理部１２とフィールド内補間データ生成部１６に供給するようにしてある。フィールド内補間データ生成部１６は、メモリ１８から読出した１フィールドの映像信号から、その１フィールド内にない水平ラインの画素データを補間で生成させて、その生成されたデータ（補間データ）を、ＩＰ変換処理部１２と２・２シーケンス検出部１３とに供給する。
【００２３】
２・２変換処理部１１とＩＰ変換処理部１２とで変換されたプログレッシブ映像信号は、出力回路部１７に供給して、２・２シーケンス検出部１３での検出結果に基づいて、いずれか一方の変換処理部１１又は１２で変換された映像信号を、後段の回路である映像表示装置駆動部４に供給する。
【００２４】
ＩＰ変換部３内のフィールド内補間データ生成部１６で、１フィールド内の信号から画素データを補間で生成させる処理については、図４に示した原理で実行される。即ち、各フィールドの映像信号は、インターレースされた映像信号であるため、１フレームの映像が有する水平ラインの半分で構成され、１ライン毎に間引きされた信号となっている。従って、例えば図４に示すように、あるフィールドで実ラインＰ，Ｒがあり、そのラインＱについては、そのフィールドでは存在しない。隣接したフィールドではラインＱが存在している。各ライン上の丸印ａ〜ｏは、それぞれのライン上に存在する画素を示す。
【００２５】
ここで、フィールド内補間データ生成部１６では、このフィールド内の実ラインＰ，Ｒの各画素信号から、その間のラインである補間ラインＱの画素信号を生成させる。例えば、図４に示した補間ラインＱの中央の画素ｈは、隣接する上下のラインＰ，Ｒの上下の画素から生成させる。具体的には、画素ｈを生成させるために、図４に線で結んで示すように、その画素ｈを直線で通過する上下の２つの画素のペアａ−ｏ，ｂ−ｎ，ｃ−ｍ，ｄ−ｌ，ｅ−ｋを用意して、その用意された複数のペアの中から、そのときの画像の状態に基づいて、最も確からしいデータペアを選択する。その最も確からしいデータペアを選択する具体的な処理については省略するが、例えば、そのときの画像の動きの判断などから、確からしいデータペアを選択すれば良い。そして、その選択された上下のデータペアの平均を取る上下値平均値補間により、補間点の画素ｈのデータを生成させる。例えば、そのときの画像の状態に基づいた最も確からしいデータペアが、（ｃ−ｍ）であるとすると、（データｃ＋データｍ）／２を補間点の画素ｈのデータとする。
【００２６】
このようにして計算された補間点のデータは、２・２シーケンス検出部１３に送られ、１フィールド内の各ライン上の画素と、次のフィールドの空間的に同じ位置になる画素との差分の計算に利用される。即ち、例えば図３に示すようにあるフィールドＦ１と、その直前のフィールドＦ２が存在して、それぞれのフィールドＦ１，Ｆ２上のラインＬ１，Ｌ２‥‥が存在するとする。フィールドＦ１では、奇数ラインＬ１，Ｌ３，Ｌ５‥‥が実在するラインで、フィールドＦ２では、偶数ラインＬ２，Ｌ４，Ｌ６‥‥が実在するラインで、残りのラインは補間ラインであるとする。
【００２７】
ここで、例えばフィールドＦ１のラインＬ３上の画素Ｄ１３については、直前のフィールドＦ２の空間的に同じ位置になる画素が、補間ラインＬ３上の補間画素Ｄ２３であり、この画素Ｄ１３と補間画素Ｄ２３の差分が検出される。
【００２８】
このようにして、１フィールド内のそれぞれの画素毎に、直前のフィールドの空間的に同じ位置になる補間画素との差分が検出され、その検出された差分の絶対値が、２・２シーケンス検出部１３で検出された閾値よりも低い状態が、１フィールドおきに周期的に現れる場合に、そのときの映像信号が、２・２シーケンスによる映像信号であると判断する。なお、２・２シーケンス検出部１３では、１フィールド内の全ての画素の差分の絶対値を加算して判断するが、例えば１フレームのライン数５２５本のときには、その内の４８０本（即ち１フィールド当たり２４０本）が映像情報が含まれるラインであり、各フィールド２４０本の水平ライン上の画素の差分の総和から判断すれば良い。但し、２４０本よりも少ない一部のラインの画素の絶対値の和から判断するようにしても良い。
【００２９】
ここで、２・２シーケンスの映像信号であると判断する処理例を、図５を参照して説明する。元の映像信号が、２・２シーケンスのインターレース映像信号である場合には、図５（ａ）に示すように、原画像Ａ，Ｂ，Ｃが１フレーム周期で変化する。このような場合には、インターレース映像信号として、図５（ｂ）に示すように、原画像Ａから或る奇数フィールド期間の映像Ａ　ＯＤＤと、偶数フィールド期間の映像Ａ　ＥＶＥＮとが生成され、以下同様に、原画像Ｂから次の奇数フィールド期間の映像Ｂ　ＯＤＤと偶数フィールド期間の映像Ｂ　ＥＶＥＮとが生成され、さらに原画像Ｃから次の奇数フィールド期間の映像Ｃ　ＯＤＤと偶数フィールド期間の映像Ｃ　ＥＶＥＮとが生成される。
【００３０】
２・２シーケンスのインターレース映像信号の場合には、このように１フレーム単位（即ち２フィールド単位）で、原画像が変化する映像信号となる。このため、２・２シーケンス検出部１３で直前のフィールドの各画素との差分の絶対値を検出した場合、静止画でない限りは、例えば図６に示すように、１フィールド毎に、値が閾値より下回る状態と、閾値よりも高くなる状態とが繰り返されることになる。但し、原画像が連続して同じ画像である静止画像である場合には、閾値以下の状態が繰り返される。図６のｔ１，ｔ２，ｔ３‥‥は、１フィールド毎に計算される差分の絶対値である。
【００３１】
ここで本例の場合には、原画像が同じであり閾値よりも低くなるときの差分の絶対値については、隣接したフィールドの近くの実在する画素どうしを比較していた従来の場合に比べて、同一位置で比較しているので、差分絶対値が低くなる。従って、２・２シーケンス検出部１３で２・２シーケンスであることを検出する閾値（図６に破線で示す閾値）は、従来よりも低い値に設定することができ、２・２シーケンスであることを従来よりも高い確率で高精度に検出できるようになる。
【００３２】
閾値よりも低い隣接フィールド間では、同一の原画像から生成されたフィールドであることが判り、その２つのフィールドを使用して、相互に不足する水平ラインの画素を補間して、補間画素を生成する処理を、２・２変換処理部１３で行うことで、水平ライン数が２倍になったプログレッシブ映像信号を、各フィールド毎に得ることができる。
【００３３】
そして、２・２シーケンス検出部１３で２・２シーケンスであることを検出した場合には、出力回路部１７で、２・２変換処理部１３の出力を選択する制御を行うことで、２・２変換処理部１３で変換されたプログレッシブ映像信号が出力されるようになる。なお、２・２シーケンス検出部１３で２・２シーケンスでないと判断した場合には、ＩＰ変換処理部１２で変換されたプログレッシブ映像信号が出力回路部１７で選択する制御が行われる。ＩＰ変換処理部１２については、前段の映像処理部２から供給される映像信号と、フィールドメモリ１８から読出した１フィールド期間前の映像信号と、フィールド内補間データ生成部１６で生成された補間信号とを使って、そのときの画像の動き・静止を判断して、インターレース信号からプログレッシブ信号に変換する一般的な変換処理である。
【００３４】
ここで、２・２シーケンス以外のインターレース映像信号が入力した場合の例を、図７，図８を参照して説明する。例えば、従来例で説明したように、映画フィルムに記録された毎秒２４コマの映像から、毎秒３０フレームの映像信号を得るようにした、２・３シーケンスの映像信号の場合には、原画像と各フィールドの画像との関係が、図７に示すようになる。即ち、図７（ａ）に示すように、３枚の原画像Ａ，Ｂ，Ｃがある場合に、インターレース映像信号として、図７（ｂ）に示すように、１枚の原画像が２フィールド使用される場合と、３フィールド使用される場合とが周期的に存在するようになる。例えば、原画像Ａからは、或る奇数フィールド期間の映像Ａ　ＯＤＤと、その次の偶数フィールド期間の映像Ａ　ＥＶＥＮと、さらに次の奇数フィールド期間の映像Ａ　ＯＤＤとが生成され、原画像Ｂからは、次の偶数フィールド期間の映像Ｂ　ＥＶＥＮと、次の奇数フィールド期間の映像Ｂ　ＯＤＤとが生成される。原画像Ｃからは、次の偶数フィールド期間の映像Ｃ　ＥＶＥＮと、次の奇数フィールド期間の映像Ｃ　ＯＤＤと、さらに次の偶数フィールド期間の映像Ｃ　ＥＶＥＮとが生成される。
【００３５】
このような２・３シーケンスのインターレース映像信号から、２・２シーケンス検出部１３で直前のフィールドの各画素との差分の絶対値を検出した場合、静止画でない限りは、例えば図８に示すような結果になる。即ち、値が閾値より下回る状態が２フィールド連続した次に、１フィールド期間だけ閾値よりも高くなり、次に１フィールドだけ閾値よりも低くなり、さらに２フィールド期間連続して値が閾値より下回る状態となる。このような周期での検出が繰り返される場合、入力映像信号が２・３シーケンスのインターレース映像信号であると判断でき、２・２シーケンス以外の入力信号であり、ＩＰ変換処理部１２で変換されたプログレッシブ映像信号を選択させる制御を行うことになる。従って、このような場合には、２・２変換処理部１１の出力が使用されることはない。
【００３６】
なお、図７に示した原理の２・３シーケンスのインターレース映像信号が入力した場合に、その２・３シーケンスに最適なプログレッシブ映像信号への変換処理を行う回路と、その２・３シーケンスを検出する回路とを設けて、２・３シーケンスの場合にも最適な変換処理が行われるようにしても良い。
【００３７】
また、図２に示した構成では、２・２変換処理部１１とＩＰ変換処理部１２とを個別の回路として設けて、それぞれの回路で変換処理を実行させるようにしたが、１つの変換処理部だけを設ける構成として、その１つの変換処理部での変換動作を、そのときの変換シーケンスの検出に基づいて、２・２シーケンス用の変換動作を行う状態と、その他の一般的な変換動作を行う状態とを切換えるようにしても良い。また、コンピュータ装置などで構成される映像データ処理装置に、本例のような変換処理を行う処理プログラムを実装させて、上述した装置と同様の処理を行うようにしても良い。
【００３８】
【発明の効果】
本発明によると、２つのフィールドの映像信号を比較する際の、比較される各画素位置が、空間的に同じ位置になり、同じ位置どうしで正確な画素の差分が検出できるようになる。従って、インターレース映像信号をプログレッシブ映像信号に変換する場合に、２・２シーケンスなどの検出が正確に行え、その検出に基づいて正確な変換処理が行えるようになる。
【００３９】
この場合、差分が閾値以下となることが、所定の周期とは異なる周期での繰り返しであることを検出した場合に、奇数フィールドのプログレッシブ映像信号と偶数フィールドのプログレッシブ映像信号とを、隣接した異なるフレームのインターレース映像信号から作成することを、周期的に行うようにしたことで、例えば、２・３シーケンスの場合の変換処理についても正確に行えるようになる。
【００４０】
また、それぞれの空間的な位置の補間画素信号は、隣接した２つの水平ラインの画素信号から生成可能な複数の候補の中から選択された補間画素信号としたことで、より正確な補間画素信号が得られるようになり、より正確な変換シーケンスの検出が行えるようになる。
【図面の簡単な説明】
【図１】本発明の一実施の形態による全体構成例を示すブロック図である。
【図２】本発明の一実施の形態によるＩＰ変換部の構成例を示すブロック図である。
【図３】本発明の一実施の形態による補間画素生成例を示す説明図である。
【図４】本発明の一実施の形態によるフィールド内補間の例を示す説明図である。
【図５】本発明の一実施の形態による２・２シーケンスの映像処理例を示す説明図である。
【図６】図５の例での差分絶対値の計算結果の例を示す説明図である。
【図７】本発明の一実施の形態による２・３シーケンスの映像処理例を示す説明図である。
【図８】図７の例での差分絶対値の計算結果の例を示す説明図である。
【符号の説明】
１…インターレース映像信号入力端子、２…フロント映像処理部、３…ＩＰ変換部（インターレース・プログレッシブ変換部）、４…映像表示装置駆動部、５…映像表示部、１１…２・２変換処理部、１２…ＩＰ変換処理部、１３…２・２シーケンス検出部、１４…書込み処理部、１５…読出し処理部、１６…フィールド内補間データ生成部、１７…出力回路部、１８…フィールドメモリ
【図１】
2004096223.tif 000003
【図２】
2004096223.tif 000004
【図３】
2004096223.tif 000005
【図４】
2004096223.tif 000006
【図５】
2004096223.tif 000007
【図６】
2004096223.tif 000008
【図７】
2004096223.tif 000009
【図８】
2004096223.tif 000010